(57)【要約】  機械内に流体を噴射する方法及び機器が開示されている。第１及び第２の本体部分を有するノズル本体と第２の本体部分内の少なくとも１つの流体噴射オリフィスとを備えた、流体噴射器が開示されている。ノズル本体は、第１の本体部分からオリフィスの方に流体を送るよう構成されることがある。流体噴射器はまた、オリフィスを通る流体の流れに影響を及ぼすようノズル本体の内側に移動可能に配置され、かつ（ｉ）窪んだ領域及び（ｉｉ）窪んだ領域の少なくとも一部分を形成する略凸状の領域、を画定する外形付き外面を有する逆止部材を含むことがある。
2009506254.tif 000002
【特許請求の範囲】
【請求項１】
第１及び第２の本体部分と、第２の本体部分内の少なくとも１つの流体噴射オリフィスとを備え、第１の本体部分からオリフィスの方に流体を送るよう構成されたノズル本体、
オリフィスを通る流体の流れに影響を及ぼすようノズル本体の内側に移動可能に配置され、かつ（ｉ）窪んだ領域及び（ｉｉ）窪んだ領域の少なくとも一部分を形成する略凸状の領域、を画定する外形付き外面を有する逆止部材
を備えた流体噴射器。
【請求項２】
略凸状の領域が、窪んだ領域の上流開始点を形成する請求項１に記載の噴射器。
【請求項３】
略凸状の領域が、窪んだ領域の下流開始点を形成する請求項１に記載の噴射器。
【請求項４】
窪んだ領域が、逆止部材の周囲に環状の溝を画定する請求項１に記載の噴射器。
【請求項５】
窪んだ領域が、略凸状の領域と逆止部材の下流の端部部分との間に配置された底部部分を有する請求項１に記載の噴射器。
【請求項６】
逆止部材の外形付き外面が、窪んだ領域の少なくとも一部分を形成する略凹状の領域を画定する請求項１に記載の噴射器。
【請求項７】
略凹状の領域が、窪んだ領域の底部部分を画定する請求項６に記載の噴射器。
【請求項８】
逆止部材が、略凸状の領域の少なくとも一部分が噴射オリフィスの上流に置かれた、流れ通過位置に移動可能である請求項１に記載の噴射器。
【請求項９】
逆止部材が、窪んだ領域の底部部分が少なくとも部分的に噴射オリフィスの上流に置かれた、流れ通過位置に移動可能である請求項１に記載の噴射器。
【請求項１０】
逆止部材が、（ｉ）逆止部材が噴射オリフィスを通る流体の流れを阻止するようノズル本体と係合する、かつ（ｉｉ）窪んだ領域の底部部分が噴射オリフィスに隣接して置かれる、流れ遮断位置に移動可能である請求項１に記載の噴射器。
【請求項１１】
逆止部材が略円筒形の外面を含み、
略凸状の領域が第１の略凸状の領域であり、
逆止部材の外形付き外面が、（ｉ）略円筒形の外面と第１の略凸状の領域との間に置かれ、かつ（ｉｉ）第１の略凸状の領域とは異なる曲率を有する、第２の略凸状の領域を画定する請求項１に記載の噴射器。
【請求項１２】
第２の略凸状の領域が、窪んだ領域の上流開始点を形成する請求項１１に記載の噴射器。
【請求項１３】
逆止部材の外形付き外面が、（ｉ）略円筒形の外面と第２の略凸状の領域との間に置かれ、かつ（ｉｉ）第２の略凸状の領域とは異なる曲率を有する、第３の略凸状の領域を画定する請求項１１に記載の噴射器。
【請求項１４】
略凸状の領域が第１の略凸状の領域であり、
窪んだ領域が、第１の略凸状の領域と逆止部材の端部との間に配置された底部部分を有し、
逆止部材の外形付き外面が、（ｉ）窪んだ領域の底部部分と逆止部材の端部との間に置かれ、かつ（ｉｉ）窪んだ領域の少なくとも一部分を形成する、第２の略凸状の領域を画定する請求項１に記載の噴射器。
【請求項１５】
第２の略凸状の領域が、窪んだ領域の下流開始点を形成する請求項１４に記載の噴射器。
【請求項１６】
逆止部材の外形付き外面が、（ｉ）第２の略凸状の領域と逆止部材の端部との間に置かれ、かつ（ｉｉ）第２の略凸状の領域とは異なる曲率を有する、第３の略凸状の領域を画定する請求項１４に記載の噴射器。
【請求項１７】
逆止部材の外形付き外面が、第２の略凸状の領域と逆止部材の端部との間に置かれた、略凹状の領域を画定する請求項１４に記載の噴射器。
【請求項１８】
窪んだ領域が、逆止部材が流れ遮断位置にある場合には、少なくとも１つの流体噴射オリフィスの少なくとも１つの長手軸上に略中心が決められた底部部分を有する請求項１に記載の流体噴射器。
【請求項１９】
ノズル本体が、その中に複数の流体噴射オリフィスを有し、逆止部材が流れ遮断位置にある場合には、底部部分が、複数の流体噴射オリフィスのすべての長手軸上に略中心が決められる請求項１８に記載の流体噴射器。
【請求項２０】
流体噴射器を通して機械に流体を供給する方法であって、
流体を、ノズル本体の第１の部分からノズル本体の第２の部分内に画定された少なくとも１つの流体噴射オリフィスの方に送ることと、
（ｉ）逆止部材の外面の周囲の窪んだ領域及び（ｉｉ）窪んだ領域の少なくとも一部分を形成する逆止部材の略凸状の外面、を通って流体を送るようにノズル本体内に配置された逆止部材を移動することと
を含む方法。
【請求項２１】
流体を送るようにノズル本体内に配置された逆止部材を移動するステップが、流体の速度を低減させることを含む請求項２０に記載の方法。
【請求項２２】
流体を送るようにノズル本体内に配置された逆止部材を移動するステップが、逆止部材の周囲に形成されかつ窪んだ領域により少なくとも一部画定された環状の溝と流体を連通させることを含む請求項２０に記載の方法。
【請求項２３】
流体を送るようにノズル本体内に配置された逆止部材を移動するステップが、逆止部材の略凸状の外面を通って逆止部材の略凹状の外面の方に流体を送ることを含む請求項２０に記載の方法。
【請求項２４】
流体が逆止部材の略凸状の外面の少なくとも一部を通って流れた後に噴射オリフィスに入るように流体を送ることを含む請求項２０に記載の方法。
【請求項２５】
流体が窪んだ領域の底部部分を通って流れた後に噴射オリフィスに入るように流体を送ることを含む請求項２４に記載の方法。
【請求項２６】
略凸状の外面の上流で、流体が、（ｉ）逆止部材の略円筒形の外面と連通し、（ｉｉ）次いで第１の略凸状の外面とは異なる曲率を有する逆止部材の第２の略凸状の外面と連通する、ように流体を送ることを含む請求項２０に記載の方法。
【請求項２７】
流体が窪んだ領域の底部部分を通って流れた後に、流体が、窪んだ領域の少なくとも一部分を形成する逆止部材の第２の略凸状の外面を通って流れるように流体を送ることを含む請求項２０に記載の方法。
【請求項２８】
その中に少なくとも１つの流体噴射オリフィスを有し、かつ噴射オリフィスの方に流体を送るよう構成されたノズル本体であって、ノズル本体の端部部分に、略湾曲した内部の壁を有するノズル本体と、
噴射オリフィスを通る流体の流れに影響を及ぼすようノズル本体の内側に移動可能に配置された逆止部材であって、（ｉ）逆止部材の表面に窪んだ領域及び（ｉｉ）逆止部材の端部部分に略湾曲した領域、を有する逆止部材と
を備え、
逆止部材が、（ｉ）逆止部材が噴射オリフィスを通る流体の流れを阻止するようにノズル本体と係合する、（ｉｉ）窪んだ領域が噴射オリフィスに近接して置かれる、及び（ｉｉｉ）チャンバ容積がノズル本体の端部部分と逆止部材の端部部分との間に存在する、流れ遮断位置に移動可能である流体噴射器。
【請求項２９】
窪んだ領域が、逆止部材の周囲の溝を形成する請求項２８に記載の流体噴射器。
【請求項３０】
チャンバ容積が、ノズル本体の略湾曲した壁と逆止部材の端部部分との間に存在する請求項２８に記載の流体噴射器。
【請求項３１】
ノズル本体の略湾曲した壁及び逆止部材の略湾曲した領域が、実質的に一致する外形を有する請求項２８に記載の流体噴射器。
【請求項３２】
ノズル本体の略湾曲した壁及び逆止部材の略湾曲した領域が、実質的に一致する弓形の又は円形の外形を有する請求項３１に記載の流体噴射器。
【請求項３３】
チャンバ容積が、ノズル本体の略湾曲した壁と逆止部材の略湾曲した領域との間に存在する請求項２８に記載の流体噴射器。
【請求項３４】
逆止部材が流れ遮断位置にある場合には、逆止部材が、第１の接触位置の上流から噴射オリフィスへの流体の流れを阻止するように、噴射オリフィスの上流の接触位置でノズル本体と係合する請求項２８に記載の流体噴射器。
【請求項３５】
逆止部材が流れ遮断位置にある場合には、逆止部材が、接触位置でノズル本体と係合し、少なくとも部分的に噴射オリフィスを覆うよう噴射オリフィス上に下流に延在する請求項３４に記載の流体噴射器。
【請求項３６】
逆止部材が流れ遮断位置にある場合には、逆止部材の窪んだ領域が、接触位置と噴射オリフィスの下流に置かれた逆止部材の領域との間に少なくとも部分的に配置される請求項３４に記載の流体噴射器。
【請求項３７】
逆止部材が流れ遮断位置にある場合には、窪んだ領域が、噴射オリフィスの上流の第１の位置と噴射オリフィスの下流の第２の位置との間に延在する請求項２８に記載の流体噴射器。
【請求項３８】
窪んだ領域が、約０．２ｍｍ３以下の容積を有する逆止部材の周囲の溝を画定する請求項２８に記載の流体噴射器。
【請求項３９】
溝が、約０．２ｍｍ３〜約０．０７ｍｍ３の範囲内の容積を有する請求項３８に記載の流体噴射器。
【請求項４０】
窪んだ領域が、約０．０７５ｍｍ３以下の容積を有する逆止部材の周囲の溝を画定する請求項３８に記載の流体噴射器。
【請求項４１】
逆止部材が流れ遮断位置にある場合には、チャンバ容積が、約０．７ｍｍ３以下の容積を有する請求項４０に記載の流体噴射器。
【請求項４２】
逆止部材が流れ遮断位置にある場合には、チャンバ容積が、約０．７ｍｍ３〜約０．３ｍｍ３の範囲内の容積を有する請求項４１に記載の流体噴射器。
【請求項４３】
チャンバ容積が、約０．３５ｍｍ３以下の容積を有する請求項４２に記載の流体噴射器。
【請求項４４】
逆止部材が流れ遮断位置にある場合には、窪んだ領域が、少なくとも１つの流体噴射オリフィスの少なくとも１つの長手軸上に略中心が決められた底部部分を有する請求項２８に記載の流体噴射器。
【請求項４５】
ノズル本体が、その中に複数の流体噴射オリフィスを有し、逆止部材が流れ遮断位置にある場合には、底部部分が、複数の流体噴射オリフィスのすべての長手軸上に略中心が決められる請求項４４に記載の流体噴射器。
【請求項４６】
流体噴射器を通して機械に流体を供給する方法であって、
流体を流体噴射器のノズル本体を通して、（ｉ）ノズル本体内の少なくとも１つの流体噴射オリフィス及び（ｉｉ）ノズル本体の端部部分に形成されたノズル本体の略湾曲した壁、の方に送ることと、
（ｉ）逆止部材が噴射オリフィスを通る流体の流れを阻止するようにノズル本体と係合する、（ｉｉ）逆止部材の表面の窪んだ領域が噴射オリフィスに近接して置かれる、（ｉｉｉ）チャンバ容積がノズル本体の端部部分と逆止部材の端部部分との間に存在する、及び（ｉｖ）逆止部材の端部部分の略湾曲した領域がチャンバ容積内に配置される、流れ遮断位置にノズル本体内の逆止部材を移動することと
を含む方法。
【請求項４７】
逆止部材の表面の窪んだ領域が噴射オリフィスに近接して置かれた流れ遮断位置に、ノズル本体内の逆止部材を移動するステップが、逆止部材の周囲に形成された溝が噴射オリフィスに近接して置かれた流れ遮断位置に、ノズル本体内の逆止部材を移動することを含む請求項４６に記載の方法。
【請求項４８】
チャンバ容積が存在する流れ遮断位置に、ノズル本体内の逆止部材を移動するステップが、チャンバ容積がノズル本体の略湾曲した壁により一部境界づけられるようにすることを含む請求項４６に記載の方法。
【請求項４９】
チャンバ容積が存在する流れ遮断位置に、ノズル本体内の逆止部材を移動するステップが、チャンバ容積が逆止部材の略湾曲した領域により一部境界づけられるようにすることを含む請求項４８に記載の方法。
【請求項５０】
流れ遮断位置にノズル本体内の逆止部材を移動するステップが、逆止部材が、第１の接触位置の上流から噴射オリフィスへの流体の流れを阻止するように、噴射オリフィスの上流の接触位置でノズル本体と係合する位置に逆止部材を移動することを含む請求項４６に記載の方法。
【請求項５１】
流れ遮断位置にノズル本体内の逆止部材を移動するステップが、逆止部材が接触位置でノズル本体と係合し、かつ少なくとも部分的に噴射オリフィスを覆うよう噴射オリフィス上に下流に延在する位置に逆止部材を移動することを含む請求項５０に記載の方法。
【請求項５２】
流れ遮断位置にノズル本体内の逆止部材を移動するステップが、逆止部材の窪んだ領域が接触位置と噴射オリフィスの下流に置かれた逆止部材の領域との間に少なくとも部分的に配置される位置に逆止部材を移動することを含む請求項５１に記載の方法。
【請求項５３】
流れ遮断位置にノズル本体内の逆止部材を移動するステップが、窪んだ領域が噴射オリフィスと流体連通している位置に逆止部材を移動することを含む請求項４６に記載の方法。
【請求項５４】
流れ遮断位置にノズル本体内の逆止部材を移動するステップが、噴射オリフィスの上流の流体が噴射オリフィス内に流れることを阻止することと、噴射オリフィスの下流からオリフィス内への流体の流れを少なくとも阻止することとを含む請求項４６に記載の方法。
【発明の詳細な説明】
【技術分野】
【０００１】
本発明は、一般に、流体の流れを制御する方法及び機器、より詳しくは、流体の噴射を制御する方法及び機器に関する。
【背景技術】
【０００２】
噴射ノズルを通してエンジンの燃焼室内に加圧燃料を送るための、様々な燃料噴射装置が設計されている。一般に、噴射ノズルは、その端部に形成された１つ以上のオリフィスを有し、選択的に移動可能な逆止部材が、加圧燃料が噴射オリフィスを通してノズルから出ることを選択的に可能にする又は阻止するよう、ノズルの内側に配置される。ノズル逆止アセンブリの幾何学的構造が、たとえば（ｉ）噴射装置の寿命、（ｉｉ）噴射装置のコスト、（ｉｉｉ）燃料噴射繰返し精度、及び（ｉｖ）エンジンの排気物質レベルのような、様々な噴射装置特性にかなり影響を及ぼすことがある。
【０００３】
（特許文献１）では、その中に少なくとも１つの噴射ポートを有するノズル本体と、ノズル本体内で変位可能なニードル弁とを備えた、燃料噴射ノズルについて開示している。ニードル弁は、放射状の肩部と、この肩部の下流に、噴射ポートへと延在する環状の溝とを有する。放射状の肩部は、恐らく生産のばらつきによる影響を減少するために、非常に鋭い縁部を有して具現化される。本明細書に引用する、（特許文献１）に開示されている発明の目的は、信頼できる燃料調整を提供することである。
【０００４】
噴射装置の寿命及びコスト、噴射繰返し精度、及びエンジンの排気物質の影響のバランスを効果的に調整する新規な構造及び方法を提供することにより、これまでの燃料噴射装置が改良されることがある。
【０００５】
【特許文献１】米国特許出願公開第２００３／００５７２９９Ａ１号明細書
【発明の開示】
【発明が解決しようとする課題】
【０００６】
本発明は、これまでの流体の噴射を制御する装置及び方法に関連する１つ以上の欠点を克服する又は改良することを目的とする。
【課題を解決するための手段】
【０００７】
本発明の一形態においては、第１及び第２の本体部分を有するノズル本体と、第２の本体部分内の少なくとも１つの流体噴射オリフィスとを備えた、流体噴射器が開示される。ノズル本体は、第１の本体部分からオリフィスの方に流体を送るよう構成されることがある。流体噴射器はまた、オリフィスを通る流体の流れに影響を及ぼすようノズル本体の内側に移動可能に配置され、かつ（ｉ）窪んだ領域及び（ｉｉ）窪んだ領域の少なくとも一部分を形成する略凸状の領域、を画定する外形付き外面を有する逆止部材を含むことがある。
【０００８】
本発明の別の形態においては、流体噴射器を通して機械に流体を供給する方法が開示される。この方法は、ノズル本体の第１の部分から、ノズル本体の第２の部分内に画定された少なくとも１つの流体噴射オリフィスの方に、流体を送ることを含むことがある。この方法は、（ｉ）逆止部材の外面の周囲の窪んだ領域及び（ｉｉ）窪んだ領域の少なくとも一部分を形成する逆止部材の略凸状の外面、を通って流体を送るように、ノズル本体内に配置された逆止部材を移動することをさらに含むことがある。
【０００９】
上記の一般的な記述及び以下の詳細な記述は両方とも、例示及び説明のためであり、特許請求の範囲に記載の本発明を限定するものではないことを理解されたい。
【００１０】
本明細書に組み込まれており、かつ本明細書の一部を構成する添付図面は、本発明の例示的実施形態又は特徴を例示しており、以下の記述と合わせて、本発明の原理を説明するためのものである。
【００１１】
図面は、本発明の例示的実施形態又は特徴を表しているが、必ずしも一定の割合に拡大縮小したものではなく、本発明をより良く例示し説明するために、ある特徴が誇張されていることがある。本明細書に記載されている例は、本発明の例示的実施形態又は特徴を例示しているものであり、この例は、いかなる形であれ、本発明の範囲を制限するものと解釈されるべきではない。
【発明を実施するための最良の形態】
【００１２】
次に、本発明の実施形態又は特徴について詳細に言及する。これらの例が添付図面に例示されている。可能なかぎり、同じ又は対応する部品について言及する場合には、図面全体に渡って同じ又は対応する参照符号が使用される。
【００１３】
ここで、図１を参照すると、燃料噴射器１０のような流体噴射器が、ノズル本体１４と、ノズル本体１４の内側に移動可能に配置された逆止部材１８とを含むことがある。ノズル本体１４は、第１の本体部分２２と第２の本体部分又はノズル先端２６とを含むことがある。第１の本体部分２２は、逆止部材１８を収容するための円筒形の内部構造を有し、ノズル先端２６と一体に形成されることがある。ノズル先端２６は、略円錐形の内部構造を有し、その中に形成された１つ以上の流体噴射オリフィス３０を有することがある。ノズル本体１４は、（燃料ポンプからの燃料のような）加圧流体を第１の本体部分２２を通してオリフィス３０の方に送るよう構成されることがあることを理解されたい。
【００１４】
一実施形態においては、ノズル先端２６は、ノズル本体１４の端部部分３６に略湾曲した内部の壁３４を有する。たとえば、図１に示されている略湾曲した内部の壁３４は、逆止部材１８の端部部分を取り囲む、略円形の又は弓形の壁の形態を有する。
【００１５】
逆止部材１８は、ノズル本体１４内に移動可能に配置されることがある。たとえば、逆止部材１８は、バネ（図示せず）を介してノズル本体１４の内部の壁３４の方に偏倚し、（図１に示されている）第１の位置に保持されることがあり、ここで、逆止部材１８は、逆止部材表面の１つ以上の弁座位置３８ｃでオリフィス３０と隣接する先端２６で、１つ以上の逆止シート位置３８ａと接触する。このような配置構成により、逆止部材１８は、少なくとも一部分のオリフィス３０を覆うためのバルブカバーオリフィスの種類の構造内のオリフィス３０を通って、下流に延在するよう構成されることがある。当業者は、逆止部材１８が、オリフィス３０を通る燃料の送達を可能にするよう、逆止シート３８ａから離れる方向に選択的に移動可能であることを理解されるであろう。
【００１６】
図１及び図２を参照すると、逆止部材１８は、１つ以上の略凸状の領域Ｒ１、Ｒ２、Ｒ３、Ｒ４、Ｒ５と、１つ以上の略凹状の領域ＲＡ、ＲＢとを画定する、外形付き外面４２を有し得る。その上、逆止部材１８の外形付き外面４２は、所定の流体量を有する窪んだ領域４６を画定することがある。一実施形態においては、窪んだ領域４６は、逆止部材１８が流れ遮断位置にある場合には、弁座位置３８ｃから開始する又はこれに近接する上流と、オリフィス３０の下流の位置（たとえば、ノズル本体１４の近接領域３９ａ）で逆止部材１８に置かれた領域３９ｃから開始する又はこれに近接する下流とを有することがある。したがって、逆止部材が流れ遮断位置にある場合には（図１）、窪んだ領域４６は、噴射オリフィス３０の上流の位置から噴射オリフィス３０の下流の位置へと延在することがある。窪んだ領域４６は、逆止部材１８の周囲の環状の溝４８を画定することがある。窪んだ領域４６は、窪んだ領域４６の最も深い一部である底部部分５０（たとえば、先端２６の円錐形の内部の壁の平面から最も遠い、図１の窪んだ領域４６の一部）を含む。
【００１７】
一実施形態においては、（溝４８の形態のような）窪んだ領域４６は、約０．２ｍｍ３以下の容積を有して構成されることがある。たとえば、例示的実施形態においては、窪んだ領域４６は、約０．１５ｍｍ３の容積又は約０．０７５ｍｍ３の容積のような、約０．２ｍｍ３〜約０．０７ｍｍ３の範囲内の容積を有して構成されることがある。
【００１８】
逆止部材１８の外面４２は、略凸状の領域を画定することがあり、この中心が、全体的に、図１にＲ１で示されている。略凸状の領域Ｒ１は、窪んだ領域４６に隣接し、相互接続され、窪んだ領域４６の一部分を形成することがある。略凸状の領域Ｒ１は、窪んだ領域４６の底部部分５０の上流に（即ち、先端２６に送る加圧燃料源の方に、図１では、第１の本体部分２２は先端２６より上流にある）配置される。
【００１９】
逆止部材１８の外面４２は、さらに、略凸状の領域Ｒ１の上流に置かれ、かつ略凸状の領域Ｒ１とは異なる曲率を有する、別の略凸状の領域Ｒ２を画定することがある。たとえば、略凸状の領域Ｒ２は、略凸状の領域Ｒ１より小さい曲率を有することがある。図１の実施形態においては、略凸状の領域Ｒ２は、逆止部材１８の略円筒形の外面５４と略凸状の領域Ｒ１との間に配置される。一実施形態においては、略凸状の領域Ｒ２は、窪んだ領域４６の上流開始点を形成し、窪んだ領域４６内に延在する。
【００２０】
逆止部材１８の外面４２は、逆止部材１８の略円筒形の外面５４と略凸状の領域Ｒ２との間の略凸状の領域Ｒ２の上流に置かれた、さらに別の略凸状の領域Ｒ３を画定することがある。略凸状の領域Ｒ３は、略凸状の領域Ｒ２とは異なる曲率を有する。たとえば、略凸状の領域Ｒ３は、略凸状の領域Ｒ２より大きい曲率を有することがある。
【００２１】
逆止部材１８の外面４２は、窪んだ領域４６の底部部分５０と逆止部材１８の端部部分５８との間の窪んだ領域４６の底部部分５０の下流に置かれた、別の略凸状の領域Ｒ４を画定することがある。略凸状の領域Ｒ４は、窪んだ領域４６と相互接続され、これに隣接することがある。一実施形態においては、略凸状の領域Ｒ４は、窪んだ領域４６の下流開始点を形成し、窪んだ領域４６内に延在する。
【００２２】
逆止部材１８の外面４２は、略凸状の領域Ｒ４と逆止部材１８の端部部分５８との間の略凸状の領域Ｒ４の下流に置かれた、さらに別の略凸状の領域Ｒ５を画定することがある。略凸状の領域Ｒ５は、略凸状の領域Ｒ４とは異なる曲率を有する。たとえば、略凸状の領域Ｒ５は、略凸状の領域Ｒ４より小さい曲率を有することがある。
【００２３】
逆止部材１８の外面４２はまた、たとえば、略凸状の領域Ｒ１とＲ４との間の略凸状の領域Ｒ１の下流に置かれた、略凹状の領域ＲＡを画定することがある。略凹状の領域ＲＡは、略凸状の領域Ｒ１に隣接し、相互接続され、また窪んだ領域４６の一部分を画定することがある。図２の実施形態においては、略凹状の領域ＲＡは、窪んだ領域４６の底部部分５０を形成する。
【００２４】
逆止部材１８の外面４２は、略凹状の領域ＲＡと逆止部材１８の端部部分５８との間の略凹状の領域ＲＡの下流に置かれた、別の略凹状の領域ＲＢを画定することがある。より具体的には、略凹状の領域ＲＢは、略凸状の領域Ｒ５と逆止部材１８の端部部分５８との間の、略凸状の領域Ｒ５の下流に置かれることがある。
【００２５】
逆止部材１８はまた、逆止部材１８の端部部分５８に、略湾曲した領域６２を含むことがある。その上、略湾曲した領域６２は、先端２６の略湾曲した内部の壁３４の外形に実質的に一致する外形を有することがある。たとえば、図１の実施形態は、先端２６の略湾曲した内部の壁３４と実質的に同じ又はほぼ同じ曲率を有する、略凸状の湾曲した領域６２を含む。逆止部材１８の略湾曲した領域６２と先端２６の略湾曲した内部の壁３４との外形が実質的に一致することにより、あるエンジンの燃焼排気特性を維持する又は減少することを助けるよう、この間に形成された（以下に記述する）容積チャンバ６６を減少することが容易となる。
【産業上の利用可能性】
【００２６】
本発明は、エンジン内への燃料の噴射を制御する機器及び方法を提供する。本明細書に記述されている機器は、エンジンの排気とコスト効果とのバランスを調整しつつ、繰り返し可能かつ信頼できる噴射性能を促進する、寿命の長い機器であることが予測される。本明細書に記述されている構成要素及び配置構成は、当業者により、（たとえば、電子制御ユニット噴射器、油圧作動式電子制御ユニット噴射器、機械作動式噴射器、又はポンプ及びライン燃料システム（ｐｕｍｐ  ａｎｄ  ｌｉｎｅ  ｆｕｅｌ  ｓｙｓｔｅｍ）に結合された噴射器を含むが、これらに制限されるものではない）様々な噴射器の設計に適用されることを理解されたい。
【００２７】
当業者は、逆止部材１８が、流れ遮断位置（図１）及び流れ通過位置（図３）へと移動することを理解されよう。
【００２８】
流れ遮断位置（図１）において、逆止部材１８の上流の弁座位置３８ｃは、先端２６の逆止シート位置３８ａに載ることがあり、したがって流体が、オリフィス３０の上流から、ノズル本体１４内から噴射オリフィス３０内に流れることが阻止される。その上、図１に示されている実施形態のバルブカバーオリフィス構造は、オリフィス３０の下流からオリフィス３０を通る流体の流れを少なくとも阻止することがある。図１の実施形態においては、流れ遮断位置において、溝４８を形成する窪んだ領域４６は、噴射オリフィス３０に近接して置かれ、噴射オリフィス３０と流体連通して配置される。より具体的には、窪んだ領域４６の底部部分５０は、噴射オリフィス３０に近接して置かれ、オリフィス３０の少なくとも１つの長手軸Ａ０上に略中心が決められる。図１の実施形態と同様に、窪んだ領域４６の底部部分５０は、オリフィス３０のすべての長手軸Ａ０、Ａ１上に略中心が決められることがある。図１の逆止部材１８が流れ遮断位置に配置された場合には、窪んだ領域４６は、少なくとも部分的に、オリフィス３０の上流にある逆止シート位置３８ａとオリフィス３０の下流にあるノズル本体１４の領域３９ａとの間に配置されることを理解されたい。
【００２９】
流れ遮断位置において、チャンバ容積６６、又は嚢容積が、逆止部材１８の端部部分５８とノズル本体１４の端部部分３６との間に存在する。逆止部材１８の略湾曲した領域６２は、チャンバ容積６６が、少なくとも一部、逆止部材１８の略湾曲した領域６２及びノズル本体１４の略湾曲した壁３４によって境界づけられるように、チャンバ容積６６内に配置されることがある。
【００３０】
一実施形態においては、チャンバ容積６６は、逆止部材１８が流れ遮断位置にある場合には、約０．７ｍｍ３以下の容積を有して構成されることがある。たとえば、例示的実施形態においては、チャンバ容積６６は、約０．６７ｍｍ３の容積又は約０．３５ｍｍ３の容積のような、約０．７ｍｍ３〜約０．３ｍｍ３の範囲内の容積を有して構成されることがある。
【００３１】
逆止部材１８が流れ通過位置に移動する場合には（図３）、弁座位置３８ｃは逆止シート位置３８ａから持ち上げられ、流体が、第１の本体部分２２から、逆止部材の略円筒形の外面５４を通って、略凸状の領域Ｒ３、Ｒ２、及びＲ１、及び逆止シート位置３８ａを通って、たとえばエンジンの燃焼室内のような機械内に送るために、流体噴射オリフィス３０内へと、先端２６の方に送られる。流体のいくらかが、オリフィス３０及び略凸状の領域Ｒ４及びＲ５を通って送られ、チャンバ容積６６領域に入ることを理解されたい。
【００３２】
流れ通過位置において、略凸状の領域Ｒ１、Ｒ２は、噴射オリフィス３０に隣接して置かれることがある。その上、略凸状の領域Ｒ１、Ｒ２の少なくとも一部分が、少なくとも噴射オリフィス３０のやや上流に配置され、したがって、流体が、オリフィス３０に入る前に、略凸状の領域Ｒ１、Ｒ２と連通することがある。その上、窪んだ領域４６の底部部分５０はまた、噴射オリフィス３０の上流に少なくとも部分的に配置され、したがって、流体が、オリフィス３０に入る前に、底部部分５０と連通することがある。したがって、流体がノズル本体１４の第１の本体部分２２から略凸状の領域Ｒ３通って噴射オリフィス３０の方に下流に流れる時に、流体は、ノズル本体１４の壁及び逆止部材１８の窪んだ領域４６によって画定された、徐々に広くなっている経路に近づき、ここを通って流れ、したがって、流体がオリフィス３０に入る前に、流体の速度が低減することがある。より具体的には、流体の速度が、オリフィス３０に入る前に、逆止部材１８の略凸状の領域Ｒ１、Ｒ２及び逆止部材１８の窪んだ領域４６を通って流れる及びこれに流体連通する時に低減することがある。本明細書に開示されている構造により、噴射器を通して送られる加圧流体の、オリフィス３０に近接する又はオリフィス３０内での流体分離現象が低減されることが予想され、これにより、先端２６内の流体空洞化の影響が減じられ、最終的に、噴射器が損傷する可能性が低減し、噴射器の寿命が増加する。その上、たとえばチェックリフト特性（ｃｈｅｃｋ  ｌｉｆｔ  ｃｈａｒａｃｔｅｒｉｓｔｉｃｓ）が向上したことにより、噴霧が均一となることが予想される。
【００３３】
本明細書に記述されている幾何学的要素及び構造要素（たとえば、１つ以上の略凸状の領域）により、噴射器が流れが通過する状態にある場合には、滑らかな速度移行領域及び／又は燃料噴射器内の均一な圧力分散、（たとえば、ノズル本体１４に繰り返して係合したことから生じる）逆止部材の作動中に逆止部材１８内で生成される応力及び圧力の有益な管理、及び向上した製造可能性を提供するなどの、燃料噴射の１つ以上の望ましい特性が促進されることがさらに予想される。
【００３４】
前述の記載より、本発明の特定の実施形態が例示目的で本明細書に記述されているが、本発明の趣旨又は範囲から逸脱することなく、様々な修正形態が作られることを理解されよう。当業者には、本明細書及び図について考えることにより、かつ本明細書に開示されている本発明を実践することにより、本発明の他の実施形態が明らかとなろう。本明細書及び開示されている例は、単なる例示と考えられるべきであり、本発明の真の範囲及び趣旨は、頭記の特許請求の範囲及びそれらの等価物に示されている。したがって、本発明は、特許請求の範囲以外によって制限されるものではない。
【図面の簡単な説明】
【００３５】
【図１】本明細書に記述した燃料噴射器の一部を示す断面側面図である。
【図２】図１に示されている逆止部材の一部を倍尺で示す図である。
【図３】図１に示されている燃料噴射器を示す断面側面図である。同図では、逆止部材は流れ通過位置にある。
【図１】
2009506254.tif 000003
【図２】
2009506254.tif 000004
【図３】
2009506254.tif 000005
【国際調査報告】
2009506254.tif 000006
2009506254.tif 000007